(57)【要約】  【課題】  自動回転式扉の挟み込み事故防止装置として円弧状の外枠の一定幅をスライド部分とし異常時にスライドさせて異常に加わった力を逃がし運転を停止することで挟み込み事故を防止する。  【解決手段】  挟み込み事故等により自動回転式扉と外枠の間に異常に加わった力を逃がす。外枠の一定幅をスライド部分とし異常時にスライドさせて異常に加わった力を逃がす。定位置検出センサーを設けスライド部分が定位置に在ることにより運転可能とする。挟み込み事故等によりスライド部分がスライドし定位置を外れたときに運転を停止させる。スライド部分のスライド幅は回転扉の停止距離以上とし十分余裕を取る。スライド部分の上下に設けたガイドレールを下り勾配とし重力により小さな力でスライドさせる。  【選択図】  図１
2005290899.tif 000002
【特許請求の範囲】
【請求項１】
自動回転式扉等の挟み込み事故防止を目的とした安全装置で円弧状の外枠（２）の回転式扉の停止距離以上の長さを外枠（２）に沿ってスライド出来るようにしたスライド部分（１）を侵入方向側に設け挟み込みにより回転扉（３）とスライド部分（１）の間に異常な力が加わった場合にスライド部分（１）を回転扉（３）から逃げる方向にスライドさせ異常な力を逃がし同時にスライド部分（１）の定位置を検知する定位置検出センサー（７）が定位置から外れ運転を停止するようにした回転式扉の挟み込み事故防止装置
【請求項２】
スライド部分（１）のスライドを軽くするために上下に下り勾配のガイドレール（８）を設けたもので回転扉（３）とスライド部分（１）の間に挟み込み等で異常な力が加わった場合にスライド部分（１）を小さな力で逃がすようにし定位置で保持するために定位置に定位置平坦部９を設けるか又はマグネットキャッチ等による保持機能を備えた請求項１記載の回転式扉の安全装置
【発明の詳細な説明】
【技術分野】
【０００１】
本発明は回転式扉の挟み込み事故防止に関するもので回転扉と円弧状の外枠の間に異物を挟み込んで異常な力が加わった場合に外枠の一定幅を外枠に沿ってスライドさせることでその力を逃がし同時に運転を停止させることにより挟み込み事故の防止を計ったものである。
【背景技術】
【０００２】
建物の大型化に伴いモーター等で駆動される自動の回転式扉が多く用いられているが幼児から老人まで不特定多数の人が利用し特に幼児の行動は予想が付かず挟み込み事故は起こるものだと考え其れに対する安全性の向上が計られるべきである。回転式扉の安全策としてセンサー等により異常を検知し扉の回転を止める方法が採られている。センサー等で検知して停止信号を出してもも大型の回転扉では慣性力により直ぐには停止せず停止距離がありまた急停止させることはかえって歩いている人と扉との衝突を招き危険である。
【０００３】
またセンサー等は故障することもありまた光学式センサー等では結露や汚れで感度の低下を招くこともあり二重三重の安全策が必要である。
【特許文献１】特開２０００−１９２７２９号公報
【発明の開示】
【発明が解決しようとする課題】
【０００４】
センサー等は故障することもありまた光学式センサー等では結露や汚れで感度の低下を招くこともあり第二の安全策が必要である。
【０００５】
回転扉３と外枠２の間に異物を挟み込み異常な力が加わった場合にその力を逃がす装置が必要である。
【０００６】
間違えば事故に繋がる装置であり複雑な構造とせず誤作動なく確実に働く装置とする。
【課題を解決するための手段】
【０００７】
回転扉３と外枠２の間に異物を挟み込み異常な力が加わった場合にその異常な力を逃がすため外枠２の侵入方向側の一定幅をスライド部分１とし外枠２に沿って回転扉３から逃げる方向にスライドさせ異常な力を逃がし事故を防止する。
【０００８】
定位置検出センサー７を設けスライド部分１が定位置にある時は回転扉の運転が可能とし挟み込みが起こりスライド部分１がスライドして定位置を外れると運転を停止させる。
【０００９】
外枠２に設けたスライド部分１のスライド幅は回転扉３の回転の停止距離より十分広くとり挟まれた人等に過剰な力が加わらないようにする。
【００１０】
外枠２側のスライド部分１の上下に設けたガイドレール８を下り勾配とし重力を利用して小さな力でスライドさせ過剰な力が加わらないようにする。
【発明の効果】
【００１１】
回転扉３と外枠２の間に異物の挟み込みが在った場合に外枠２側に設けたスライド部分１が逃げる事により異常な力を逃がし事故を防止出来る。
【００１２】
又同時にスライド部分１の定位置を検出する定位置検出センサー７が外れる事により回転扉３の回転を止め事故を防止出来る。
【発明を実施するための最良の形態】
【００１３】
回転扉３と外枠２の間に異物を挟み込み異常な力が加わった場合に外枠２側に設けたスライド部分１を回転扉３から逃げ方向にスライドさせる事により異常な力を逃がし事故を防止出来る。
【００１４】
同時にスライド部分１がスライドして定位置センサー７から外れることで運転を停止させる。
【００１５】
外枠２側に設けたスライド部分１のスライド幅は回転扉３の回転の停止距離よりも十分広く取り挟まれた人等に過剰な力が加わらないようにする。
【００１６】
外枠２側に設けたスライド部分１は幼児等が挟まれる事を考慮し小さな力でスライドするようにする。
【実施例１】
【００１７】
図により本発明の実施例につき説明する。
図１で回転扉の外枠２の一部の幅を外枠２に沿ってスライド出来るようにしたスライド部分１を設け定位置には定位置センサー７を設ける。
【００１８】
図１は正常回転状態であり回転扉３は回転方向５の向きに回転し外枠２に設けたスライド部分１は定位置に在り定位置センサー７検知して運転が可能である。
【００１９】
図２は安全装置の作動状態であり挟み込みを起こしてスライド部分１が回転扉３から逃げ方向にスライドして過剰な力が加わるのを防ぎスライド部分１が定位置センサー７を外れることで運転を停止する。
【００２０】
また異常停止時には異常停止信号が係員に向かって発信される。
【００２１】
運転を復旧させるには係員が安全確認の後スライド部分１を定位置に復旧させ定位置検出センサー７が働けば運転再起動の操作が行える。
【００２２】
図３はスライド部分１の上下に設けた下り勾配ガイドレール８の詳細図であり定位置に定位置平坦部９を備えた下り勾配のガイドレールであり逃げ方向へのスライドが重力を利用して軽く行え過剰な力が加わるのを防ぐことが出来またスライド部分１は定位置では定位置平坦部９に保持される。
【００２３】
また下り勾配のみのガイドレールとし定位置でマグネットキャッチ等で保持する事もできる。
【産業上の利用可能性】
【００２４】
手動の回転扉においてもスライド部分１は衝撃の軽減に利用できることは勿論のことでありこの場合にはさらに定位置検出センサー７が外れることで回転扉の回転にブレーキをかけることが望ましい。
【図面の簡単な説明】
【００２５】
【図１】本発明の安全装置の平面図
【図２】本発明の安全装置の作動停止時の平面図
【図３】スライド部分ガイドレールの詳細図
【符号の説明】
【００２６】
１        スライド部分
２        外枠
３        回転扉
４        回転軸
５        回転方向
６        侵入方向
７        定位置検出センサー
８        下り勾配ガイドレール
９        定位置平坦部
【図１】
2005290899.tif 000003
【図２】
2005290899.tif 000004
【図３】
2005290899.tif 000005